(57)【要約】【課題】電子ペーパーの電極形成は工程的に煩雑で歩留まりの低下を招くという問題がある。本発明は、電子ペーパーの表示部材自身にパターンニング電極やコンピュータ制御TFT電極を有さない電子ペーパーの提供を課題とした。【解決手段】電荷極性をもつ顔料や着色粒子を含む微粒子層あるいは微粒子分散液状層を介して、その両側に対向する印加電極が、導電性を有するフィルム状ポリマー層あるいは、溶剤で溶解した液状導電性ポリマーを塗布した後、溶剤を蒸発乾燥して得られる透明導電ポリマー層で構成されたことを特徴とする電子ペーパー、あるいは直接接触加電、あるいは点放電できる距離に位置する電極を外部電極とし、電荷極性をもつ顔料、着色樹脂層に対して印加電極に直接、接触加電あるいは放電することで印字、描画のできる構造の電子ペーパーである。【選択図】図２
2011069993.tif 000002
【特許請求の範囲】
【請求項１】
電荷極性をもつ顔料や着色粒子を含む微粒子層あるいは微粒子分散液状層を介して、その両側に対向する印加電極が、導電性を有するフィルム状ポリマー層あるいは、溶剤で溶解した液状導電性ポリマーを塗布した後、溶剤を蒸発乾燥して得られる透明導電ポリマー層で構成されたことを特徴とする電子ペーパー。
【請求項２】
直接接触加電、あるいは点放電できる距離に位置する電極を外部電極とし、電荷極性をもつ顔料、着色樹脂層に対して印加電極に直接、接触加電あるいは放電することで印字、描画のできることを特徴とする電子ペーパー。
【請求項３】
電荷極性をもつ顔料や着色粒子を含む微粒子層あるいは微粒子分散液状層を介して対向する透明導電ポリマー層の一方の導電層は、全面にアルミ箔、アルミ蒸着などの導電金属や、あるいはカーボンブラックなどの導電顔料を塗工した膜、さらにはその他の導電粒子を塗工した膜、およびそれらが、塗工あるいは貼り合せられたプラスチックフィルム、シート、板などの支持体に形成されたことを特徴とする電子ペーパー。
【請求項４】
電荷極性をもつ顔料や着色粒子を含む微粒子層あるいは微粒子分散液状層を介して対向する透明導電ポリマー層をもつ構造、あるいは一方の導電層が、導電金属や導電顔料を塗工した膜、その他の導電粒子を塗工した膜、およびそれらが、塗工あるいは貼り合せられたプラスチックフィルム、シート、板などの支持体に形成された導電膜構造の文字画像表示材に対して、視認側からペン電極あるいは、印刷装置電極などの外部電極による印加によって、文字、画像の表示を可能としたことを特徴とする電子ペーパー。
【発明の詳細な説明】
【技術分野】
【０００１】
本発明は、電子ペーパーに係わり、特には外部電極により書き換え可能な電子ペーパーに関する。
【背景技術】
【０００２】
電子ペーパーやフレキシブルディスプレーの文字画像表示装置部材の前面パネルの多くは、視認側に透明なプラスチックのフィルム、シート、あるいは板の内面にITO膜などの透明導電層を一方の印加電極層として有し、マイクロカプセル（電荷極性を持つ顔料や着色粒子を含む微粒子層あるいは微粒子分散液状層）を介して、対向する電極として、パターン印刷された導電インキあるいはエッチングなどで形成された導電金属膜などのセグメント型電極あるいは、半導体を電極としたTFT電極型などの背面材により構成され、前面板電極および背面板電極に電圧印加することにより、セグメント型の場合はあらかじめパターンニングされた範囲で、TFT型の場合は、コンピュータ制御により文字、画像の表示を行う（図1参照、及び特許文献１、２）。
【０００３】
一般に、電子ペーパー、フレキシブルディスプレーの表示部材自身に文字や画像の形成、表示のための印加電極（パターンニング電極、セグメント電極、TFT電極など）を必要とする。
【先行技術文献】
【特許文献】
【０００４】
【特許文献１】特開２００１−１７１４８１号公報
【特許文献２】特開２００２−１７９８８４号公報
【発明の概要】
【発明が解決しようとする課題】
【０００５】
ところが電極形成は工程的に煩雑であり歩留まりの低下を招くという問題がある。
そこで、本発明は、電子ペーパーやフレキシブルディスプレー装置の表示部材自身にパターンニング電極やコンピュータ制御TFT電極を有さず、先端電極を有するスタイラスペンあるいは、電極型プリントヘッドを有する印刷装置、−つまり画像表示が、基本的には表示部材自身の内部にパターンニング電極、セグメント電極、およびコンピュータ制御装置を含むTFTトランジスタ電極を表示部材に持たず、スタイラスペンや印刷装置などによる外部電極の動作によって文字、画像を形成、表示できる電子ペーパー、フレキシブルディスプレーの表示部材の提供を課題とした。
【課題を解決するための手段】
【０００６】
上記課題を解決するための請求項１に記載の発明は、電荷極性をもつ顔料や着色粒子を含む微粒子層あるいは微粒子分散液状層を介して、その両側に対向する印加電極が、導電性を有するフィルム状ポリマー層あるいは、溶剤で溶解した液状導電性ポリマーを塗布した後、溶剤を蒸発乾燥して得られる透明導電ポリマー層で構成されたことを特徴とする電子ペーパーとしたものである。
【０００７】
本発明になる電子ペーパーの構造は、マイクロカプセル（電荷極性をもつ顔料や着色粒子を含む微粒子層あるいは微粒子分散液状層）を介して、その両側に対向する印加電極が、導電性を有するフィルム状ポリマー層あるいは、溶剤で溶解した液状導電性ポリマーを塗布した後、溶剤を蒸発乾燥して得られる透明導電ポリマー層で構成される（図３参）。少なくともその一方は異方性導電ポリマーであることが好ましい。
導電ポリマー層が、不透明であっても、電荷極性をもつ顔料や着色樹脂層を介して対向する電極層とし、描画電極の動作を反転（文字の場合、裏文字、逆文字と呼ばれる）する
ことで、印加描画電極の逆面への視認、表示を可能とすることができる。
【０００８】
また、請求項２に記載の発明は、直接接触加電、あるいは点放電できる距離に位置する電極を外部電極とし、電荷極性をもつ顔料、着色樹脂層に対して印加電極に直接、接触加電あるいは放電することで印字、描画のできる構造の電子ペーパーとしたものである。
【０００９】
本発明は、電荷極性をもつ顔料や着色粒子を含む微粒子層あるいは微粒子分散液状層に対して、電荷極性をもつ顔料や着色樹脂層に直接接触加電、あるいは点放電できる距離に位置する外部電極とし、印加電極により直接接触加電あるいは放電することので印字、描画ができる構造の電子ペーパーである（図２参照）。
直接または接触加電あるいは放電に対して、電荷極性をもつ顔料、着色樹脂層の耐久性が必要な場合は、電荷極性をもつ顔料、着色樹脂層を保護するための導電ポリマー層を設けることもできる。
【００１０】
また、請求項３に記載の発明は、電荷極性をもつ顔料や着色粒子を含む微粒子層あるいは微粒子分散液状層を介して対向する透明導電ポリマー層の一方の導電層は、全面にアルミ箔、アルミ蒸着などの導電金属や、あるいはカーボンブラックなどの導電顔料を塗工した膜、さらにはその他の導電粒子を塗工した膜、およびそれらが、塗工あるいは貼り合せられたプラスチックフィルム、シート、板などの支持体に形成されたことを特徴とする電子ペーパーとしたものである。
【００１１】
電荷極性をもつ顔料や着色粒子を含む微粒子層あるいは微粒子分散液状層を介して対向する透明導電ポリマー層の一方の導電層は、全面にアルミ箔、アルミ蒸着などの導電金属や、あるいはカーボンブラックなどの導電顔料を塗工した膜、さらにはその他の導電粒子を塗工した膜、およびそれらが、塗工あるいは貼り合せられたプラスチックフィルム、シート、板などの支持体に形成された構造としてもよく、その支持体は透明でも不透明でもよい。つまり、視認側である前面側の導電膜性ポリマー層は透明であるが、背面側の導電層、全面電極層は透明あるいは不透明であっても良い（図３、図４参照）。
【００１２】
また、請求項４に記載の発明は、電荷極性をもつ顔料や着色粒子を含む微粒子層あるいは微粒子分散液状層を介して対向する透明導電ポリマー層をもつ構造、あるいは一方の導電層が、導電金属や導電顔料を塗工した膜、その他の導電粒子を塗工した膜、およびそれらが、塗工あるいは貼り合せられたプラスチックフィルム、シート、板などの支持体に形成された導電膜構造の文字画像表示材に対して、視認側からペン電極あるいは、印刷装置電極などの外部電極による印加によって、文字、画像の表示を可能としたことを特徴とする電子ペーパーとしたものである。
【００１３】
電荷極性をもつ顔料や着色粒子を含む微粒子層あるいは微粒子分散液状層を介して対向する透明導電ポリマー層をもつ構造、あるいは一方の導電層が、導電金属や導電顔料を塗工した膜、その他の導電粒子を塗工した膜、およびそれらが、塗工あるいは貼り合せられたプラスチックフィルム、シート、板などの支持体に形成された導電膜構造の文字画像表示材に対して、視認側からペン電極あるいは、印刷装置電極などの外部電極による印加によって、文字、画像の表示を可能とする（図５、図６参照）。
さらに、ペン型の電極および印刷装置電極の印加電極を、導電金属糸あるいは導電繊維糸による毛筆、ブラシ型の電極とすることで、毛筆やブラシタッチの描画が可能となる。特に、毛筆ペン型の電極の場合は、書者自身の毛筆体による直接描画、文字表示を可能とできる。
【００１４】
上記のフレキシブルディスプレー、電子ペーパーは、ペン型外部電極あるいは、印刷装置電極により文字、画像の描画表示とすることで、フレキシブルディスプレー、電子ペーパー自身のみで、表示した文字画像を記録、記憶するメディア（媒体）となる。また一旦表示した文字、画像は、描画に用いた外部電極を備える印刷装置などで、描画に用いた反対の極性を印加することで消去でき、半永久的に再描画（リライト）できる。
【発明の効果】
【００１５】
電荷極性をもつ顔料や着色粒子を含む微粒子層あるいは微粒子分散液状層を介して対向する透明導電ポリマー層をもつ構造、あるいは一方の導電層が、導電金属や導電顔料を塗工した膜、その他の導電粒子を塗工した膜、およびそれらが、塗工あるいは貼り合せられたプラスチックフィルム、シート、板などの支持体に形成された導電膜構造の文字画像表示材とした構造は、構造が単純であり、製造工程も単純とすることができる。
またその構造に、前面の視認側電極にＩＴＯ塗工フィルムや、背面電極としてのパターンニング電極、セグメント電極、ＴＦＴ電極などを持たないため非常に安価に製造できる。また、既存のＰＣ周辺機器としての印刷装置、複写機の描画原理を使うことができるため以下に示す実施例の用途など、汎用性に優れたリライト型で、まさに“電子の紙”としての機能を有する。
【図面の簡単な説明】
【００１６】
【図１】現在の一般的な電子ペーパーの構造を模式的に説明する図。
【図２】外部電極印字用電子ペーパー構造１を模式的に説明する図。
【図３】外部電極印字用電子ペーパー構造２を模式的に説明する図。
【図４】外部電極印字用電子ペーパー構造３を模式的に説明する図。
【図５】ペン型電極による電子ペーパーのイメージを模式的に説明する図。
【図６】プリントヘッド電極による電子ペーパーへの描画イメージを模式的に説明する図。
【発明を実施するための形態】
【００１７】
（実施の形態１）
前記のフレキシブルディスプレー、電子ペーパーは、パターンニング電極、セグメント電極あるいは、TFT電極などをその構造に持たないため、構造が単純で大型のポスター、看板、公演会タイトル看板、案内板、これまで会社名や個人名がかきこまれた冠婚葬祭などの贈花の銘板、さらには廃棄処理問題を抱える花輪などにつけられる銘板（俗に、“ふんどし”と呼ばれる）などに利用できる。
【００１８】
（実施の形態２）
同様に前記の前段に記載した項目によるフレキシブルディスプレー、電子ペーパーは、１）市場にある既存のペン型外部電極を視認描画側かつ前面板側の電極とし、これに背面板側の導電膜、電極層に電荷印加するための面状電極あるいは電極層端部に電荷印加するためのスポット電極を組み合わせるペン型電極による描画可能な電子ペーパーとすることができる（図５参照）。
２）印刷装置としては、市場にある既存のインクジェットプリンターのインキ吐出のための電圧印加ヘッドを電子ペーパー前面導電層に接触した、あるいは放電印加の場合は、非接触の描画電極とし、背面側印加電極としては（既存のインクジェット型）プリンターのテーブルあるいは、搬送駆動のためのロールあるいは、複数配置された搬送ロールを、導電金属あるいは、導電ゴム、導電合成樹脂素材として背面板電極として組み合わせる（図6参照）。
３）また、静電トナー型複写機のトナーを使わず、静電印加部を前面の描画荷電電極とした静電（無トナー）型複写機方式も印刷装置とすることができる。
【符号の説明】
【００１９】
１・・・保護フィルム
２・・・透明電極
３・・・導電性接着層
４・・・マイクロカプセル層
５・・・導電性接着層
６・・・（背面）電極層
７・・・支持体
８・・・ペン電極
９・・・プリントヘッド電極
１０・・・電子ペーパー
【図１】
2011069993.tif 000003
【図２】
2011069993.tif 000004
【図３】
2011069993.tif 000005
【図４】
2011069993.tif 000006
【図５】
2011069993.tif 000007
【図６】
2011069993.tif 000008